(57)【要約】【課題】いずれの測定対象についての測定結果であるかを確実かつ容易に認識させる。【解決手段】測定対象の像３２ａ〜３２ｃが含まれた像３１の第１の画像データ、および測定対象についての測定結果を示す測定結果データを記憶する記憶部と、第１の画像データに基づく像３１（像３２ａ〜３２ｃ）を表示部２４に表示させると共に、測定結果データに基づく測定結果表示３３ａ〜３３ｃを像３１における指定された位置に重ねて表示部に表示させる処理部と、像３１における測定結果表示３３ａ〜３３ｃの表示位置を指定する操作が可能な操作部とを備えている。【選択図】図７
2015040775.tif 000002
【特許請求の範囲】
【請求項１】
測定対象を示す測定対象像が含まれた画像の第１の画像データ、および当該測定対象についての測定結果を示す測定結果データを記憶する記憶部と、
前記第１の画像データに基づく前記画像を表示部に表示させると共に、前記測定結果データに基づく測定結果表示を前記画像における指定された位置に重ねて当該表示部に表示させる処理部と、
前記画像上における前記測定結果表示の表示位置を指定する操作が可能な操作部とを備えている測定データ処理装置。
【請求項２】
前記記憶部は、前記測定対象に関するコメントが記録された文字列データを前記測定結果データに関連付けて記憶し、
前記処理部は、前記文字列データに基づく前記コメントを前記測定結果表示と共に表示させる請求項１記載の測定データ処理装置。
【請求項３】
前記操作部としてのタッチパネルを備え、
前記処理部は、前記タッチパネルにおける前記測定結果表示上の第１の位置から当該第１の位置とは異なる第２の位置へのドラッグ操作が行われたときに、当該第２の位置を前記指定された位置として当該第１の位置に表示させていた当該測定結果表示を当該第２の位置に移動させて表示させる請求項１または２記載の測定データ処理装置。
【請求項４】
前記測定対象を撮像して撮像データを出力する撮像部を備え、
前記処理部は、前記測定対象が撮像された前記撮像データを前記第１の画像データとして当該撮像データの画像における前記指定された位置に前記測定結果表示を重ねて表示させる請求項１から３のいずれかに記載の測定データ処理装置。
【請求項５】
前記処理部は、前記画像上の前記指定された位置に前記測定結果を重ねて表示させた表示画面を再現可能な測定結果報知用データを生成するデータ生成処理を実行可能に構成されている請求項１から４のいずれかに記載の測定データ処理装置。
【請求項６】
前記処理部は、前記データ生成処理において、前記表示画面の第２の画像データを前記測定結果報知用データとして生成する請求項５記載の測定データ処理装置。
【請求項７】
外部装置と通信可能な通信部を備え、
前記処理部は、前記通信部を制御して前記測定結果報知用データを前記外部装置に送信するデータ送信処理を実行可能に構成されている請求項５または６記載の測定データ処理装置。
【請求項８】
請求項１から７のいずれかに記載の測定データ処理装置と、前記測定対象についての測定処理を実行して前記測定結果データを生成する測定装置とを備えている測定システム。
【請求項９】
測定対象を示す測定対象像が含まれた画像の第１の画像データに基づく前記画像を表示部に表示させると共に、当該測定対象についての測定結果を示す測定結果データに基づく測定結果表示を前記画像における指定された位置に重ねて当該表示部に表示させる処理を測定データ処理装置の処理部に実行させる手順が記録されている測定データ処理用プログラム。
【発明の詳細な説明】
【技術分野】
【０００１】
本発明は、測定結果データに基づく測定結果表示を表示部に表示させる処理部を備えた測定データ処理装置、そのような測定データ処理装置を備えて構成された測定システム、および測定結果表示を表示させる処理を測定データ処理装置の処理部に実行させる測定データ処理用プログラムに関するものである。
【背景技術】
【０００２】
例えば、電源設備等の保守作業に際しては、保守対象が設置されている現場に温度計や電力計などの測定装置を携行して保守対象の温度や電力等を測定し、その測定結果を報告書に記入して現場から持ち帰って顧客（電源設備の所有者等）に提出したり、測定結果を記入した紙片を持ち帰ってパーソナルコンピュータ等を使用して報告書を作成して顧客に提出したりする業務が広く行われている。しかしながら、手書きの報告書では、机や倚子等が存在しない現場において綺麗な文字で測定結果を報告書に記入するのが困難であるため、報告書を見た者に測定結果を正しく認識させるのが困難となることがある。また、測定結果を記入した紙片を持ち帰ってパーソナルコンピュータ等を使用して報告書を作成する場合においても、綺麗な文字で測定結果を紙片に記入するのが困難であるため、記入した測定結果を誤認して測定結果を誤って入力した報告書が作成されるおそれがある。
【０００３】
一方、上記のような不都合を解消すべく、特開２００７−７８５２３号公報には、測定器（クランプメータや、リモート温度測定器等）に通信機能を付加することにより、測定を行う現場において測定器からＰＤＡ（個人用携帯端末）に測定結果を伝送させてＰＤＡにおいて報告書を作成したり、測定結果を記憶させたＰＤＡを持ち帰ってＰＤＡからパーソナルコンピュータ等に測定結果を伝送してパーソナルコンピュータ等において報告書を作成したりすることが可能な移動データ蒐集システム（以下、単に「蒐集システム」ともいう）が開示されている。
【０００４】
この蒐集システムによる測定および報告書の作成に際しては、まず、測定器およびＰＤＡを現場に携行して通信ケーブルを用いて相互に接続すると共に、ＰＤＡの表示部にシート（報告書の様式）を表示させる。次いで、ＰＤＡに表示させたシートにおける任意のセルを選択した状態において測定器のホールド釦を操作する。この際には、測定器による測定結果が通信ケーブルを介してＰＤＡに伝送され、その時点において選択されているセルに測定結果の値が入力される。このようなセルの選択およびホールド釦の操作を必要に応じて交互に実行することにより、ＰＤＡのシートにおける各セルに保守対象についての測定結果が順次入力される。
【０００５】
次いで、測定器からＰＤＡを切り離すと共に、ＰＤＡの操作部を操作して各種の情報（測定時の天候等）を入力する。これにより、各セルに入力されている測定結果と相俟って報告書のデータが生成される。この報告書のデータをＰＤＡからプリンターに出力することにより、顧客に提出可能な報告書が完成する。一方、この蒐集システムでは、ＰＤＡに記憶されている報告書のデータをＩＣメモリー等（リムーバブルメモリ）を介してパーソナルコンピュータに転送し、パーソナルコンピュータにおいて報告書を編集した後に印刷して提出することもできる。これにより、この蒐集システムでは、測定結果を報告書や紙片に手書き記入することなく、測定器による測定結果を正しく認識させ得る報告書を作成することが可能となっている。
【先行技術文献】
【特許文献】
【０００６】
【特許文献１】特開２００７−７８５２３号公報（第３−４頁、第１−３図）
【発明の概要】
【発明が解決しようとする課題】
【０００７】
ところが、従来の蒐集システムには、以下の解決すべき問題点が存在する。すなわち、従来の蒐集システムでは、保守対象の名称、および測定内容（測定項目名）を行列形式（表形式）で並べたシートをＰＤＡの表示部に表示させ、そのシートの各セル内に測定結果を入力して報告書を作成する構成が採用されている。この場合、一例として、配電盤に搭載された複数の変圧器の温度を測定して報告書を作成する際に、従来の蒐集システムでは、変圧器名、および各変圧器の温度が表形式で並んで記された報告書が作成される。しかしながら、この種の業務に不慣れな者にとっては、変圧器名と温度とが並んで記された報告書を見ても、その温度が、配電盤のいずれの部位に設置されている変圧器の温度であるかを特定するのが困難となっている。
【０００８】
したがって、この種の業務に不慣れな者に対して配電盤のいずれの部位に設置された変圧器の温度であるかを正しく認識させるには、一例として、配電盤の設計図等（各変圧器の型番（変圧器名）と配置との関係が記された図面）を上記の報告書に添付して提出する必要があり、そのような準備作業が煩雑となっているという問題点がある。また、報告書と共に設計図等を提出された者にとっても、両書面を交互に見て各変圧器の温度を把握するのが煩雑となっており、各変圧器の温度を迅速かつ正確に把握するのが困難となっているという問題点もある。
【０００９】
本発明は、かかる問題点に鑑みてなされたものであり、いずれの測定対象についての測定結果であるかを確実かつ容易に認識させ得る測定データ処理装置、測定システムおよび測定データ処理用プログラムを提供することを主目的とする。
【課題を解決するための手段】
【００１０】
上記目的を達成すべく請求項１記載の測定データ処理装置は、測定対象を示す測定対象像が含まれた画像の第１の画像データ、および当該測定対象についての測定結果を示す測定結果データを記憶する記憶部と、前記第１の画像データに基づく前記画像を表示部に表示させると共に、前記測定結果データに基づく測定結果表示を前記画像における指定された位置に重ねて当該表示部に表示させる処理部と、前記画像上における前記測定結果表示の表示位置を指定する操作が可能な操作部とを備えている。
【００１１】
また、請求項２記載の測定データ処理装置は、請求項１記載の測定データ処理装置において、前記記憶部は、前記測定対象に関するコメントが記録された文字列データを前記測定結果データに関連付けて記憶し、前記処理部は、前記文字列データに基づく前記コメントを前記測定結果表示と共に表示させる。
【００１２】
さらに、請求項３記載の測定データ処理装置は、請求項１または２記載の測定データ処理装置において、前記操作部としてのタッチパネルを備え、前記処理部は、前記タッチパネルにおける前記測定結果表示上の第１の位置から当該第１の位置とは異なる第２の位置へのドラッグ操作が行われたときに、当該第２の位置を前記指定された位置として当該第１の位置に表示させていた当該測定結果表示を当該第２の位置に移動させて表示させる。
【００１３】
また、請求項４記載の測定データ処理装置は、請求項１から３のいずれかに記載の測定データ処理装置において、前記測定対象を撮像して撮像データを出力する撮像部を備え、前記処理部は、前記測定対象が撮像された前記撮像データを前記第１の画像データとして当該撮像データの画像における前記指定された位置に前記測定結果表示を重ねて表示させる。
【００１４】
また、請求項５記載の測定データ処理装置は、請求項１から４のいずれかに記載の測定データ処理装置において、前記処理部は、前記画像上の前記指定された位置に前記測定結果を重ねて表示させた表示画面を再現可能な測定結果報知用データを生成するデータ生成処理を実行可能に構成されている。
【００１５】
さらに、請求項６記載の測定データ処理装置は、請求項５記載の測定データ処理装置において、前記処理部は、前記データ生成処理において、前記表示画面の第２の画像データを前記測定結果報知用データとして生成する。
【００１６】
また、請求項７記載の測定データ処理装置は、請求項５または６記載の測定データ処理装置において、外部装置と通信可能な通信部を備え、前記処理部は、前記通信部を制御して前記測定結果報知用データを前記外部装置に送信するデータ送信処理を実行可能に構成されている。
【００１７】
また、請求項８記載の測定システムは、請求項１から７のいずれかに記載の測定データ処理装置と、前記測定対象についての測定処理を実行して前記測定結果データを生成する測定装置とを備えている。
【００１８】
また、請求項９記載の測定データ処理用プログラムは、測定対象を示す測定対象像が含まれた画像の第１の画像データに基づく前記画像を表示部に表示させると共に、当該測定対象についての測定結果を示す測定結果データに基づく測定結果表示を前記画像における指定された位置に重ねて当該表示部に表示させる処理を測定データ処理装置の処理部に実行させる手順が記録されている。
【発明の効果】
【００１９】
請求項１記載の測定データ処理装置では、処理部が、測定対象を示す測定対象像が含まれた画像の第１の画像データに基づく画像を表示部に表示させると共に、測定対象についての測定結果を示す測定結果データに基づく測定結果表示を第１の画像データに基づく画像における指定された位置に重ねて表示部に表示させる。また、請求項８記載の測定システムでは、上記の測定データ処理装置と、測定対象についての測定処理を実行して測定結果データを生成する測定装置とを備えている。また、請求項９記載の測定データ処理用プログラムでは、測定対象を示す測定対象像が含まれた画像の第１の画像データに基づく画像を表示部に表示させると共に、測定対象についての測定結果を示す測定結果データに基づく測定結果表示を画像における指定された位置に重ねて表示部に表示させる処理を測定データ処理装置の処理部に実行させる手順が記録されている。
【００２０】
したがって、請求項１記載の測定データ処理装置、請求項７記載の測定システム、および請求項８記載の測定データ処理用プログラムによれば、紙片等に測定結果を記入する作業、および紙片等に記入されている測定結果を読み取ってパーソナルコンピュータ等に入力する作業が不要となるだけでなく、測定装置が設置されている場所に測定データ処理装置を携行し、その現場において測定データ処理装置の操作部を操作して各測定対象像の位置に各測定対象の測定結果表示を表示させるように指示することができるため、いずれの測定対象の測定結果であるかを確実かつ容易に認識可能に表示させることができる。
【００２１】
また、請求項２記載の測定データ処理装置によれば、処理部が、文字列データに基づくコメントを測定結果表示と共に表示させることにより、各測定対象に関して報知すべき事項を確実かつ容易に認識させることができる。
【００２２】
さらに、請求項３記載の測定データ処理装置によれば、処理部が、タッチパネルにおける測定結果表示上の第１の位置から、測定結果表示上以外の位置である第２の位置へのドラッグ操作が行われたときに、第２の位置を指定された位置として第１の位置に表示させていた測定結果表示を第２の位置に移動させて表示させることにより、利用者が意図していない位置に測定結果表示が表示された状態となっても、測定結果表示が表示されている位置（第１の位置）から所望の位置（第２の位置）へのドラッグ操作を行うことで、測定結果表示を所望の位置に表示させることができる。これにより、この種の装置の操作に不慣れな者であっても、所望の位置に測定結果表示を正確に表示させることができる。
【００２３】
また、請求項４記載の測定データ処理装置によれば、撮像部によって撮像された測定対象の画像における指定された位置に測定結果表示を重ねて表示可能に構成したことにより、第１の画像データを予め用意しておく必要がなくなるだけでなく、例えば、測定対象を描画した第１の画像データの画像に測定結果表示を重ねて表示する構成とは異なり、実際の測定対象を撮像した撮像データの画像に測定結果表示を重ねて表示させることで、測定対象の周囲の状態や、測定対象に対する測定用センサ等の設置状況についても測定結果表示と共に表示させることができるため、いずれの測定対象の測定結果であるかを一層確実かつ一層容易に認識させることができる。
【００２４】
また、請求項５記載の測定データ処理装置によれば、処理部が、画像上の指定された位置に測定結果を重ねて表示させた表示画面を再現可能な測定結果報知用データを生成するデータ生成処理を実行することにより、測定処理の現場から離れた場所において測定データ処理装置の表示部等に上記の表示画面を表示させたり、測定データ処理装置とは相違する各種の電子端末に上記の表示画面を表示させたりすることができるため、測定処理の現場から離れた場所や、測定データ処理装置が存在しない場所においても、測定対象についての測定結果を確実かつ容易に認識させることができる。また、測定結果報知用データを印刷して報告書として提出することも可能となるため、報告書の作成作業に要する負担を十分に軽減することができる。
【００２５】
さらに、請求項６記載の測定データ処理装置によれば、処理部が、データ生成処理において、表示画面の第２の画像データを測定結果報知用データとして生成することにより、比較的小さなデータサイズのデータ（「測定結果報知用データ」としての「第２の画像データ」）によって、いずれの測定対象の測定結果であるかを確実かつ容易に認識可能に表示画面を表示させたり、第２の画像データを印刷した報告書を作成したりすることができる。
【００２６】
また、請求項７記載の測定データ処理装置によれば、処理部が、通信部を制御して測定結果報知用データを外部装置に送信するデータ送信処理を実行することにより、物理的に大きく離れた場所に居る者に対して上記の測表示画面と同様の表示画面を表示し得る測定結果報知用データを短時間で提供することができる。
【図面の簡単な説明】
【００２７】
【図１】測定システム１００の構成を示す構成図である。
【図２】配電盤Ｘにおける変圧器Ｘａ〜Ｘｃの配置の一例について説明するための説明図である。
【図３】変圧器Ｘａ〜Ｘｃの像３２ａ〜３２ｃを含む画像（配電盤Ｘの像３１）を測定結果表示画面３０に表示させた状態の表示画面図である。
【図４】図３に示す測定結果表示画面３０上に選択肢表示画面４０を表示させた状態の表示画面図である。
【図５】図４に示す測定結果表示画面３０の位置Ｐ１をタッチした（「ｃｈ１」を選択した）直後の測定結果表示画面３０の一例を示す表示画面図である。
【図６】図５に示す測定結果表示３３ａを変圧器Ｘａの像３２上に移動させた状態の表示画面図である。
【図７】変圧器Ｘａ〜Ｘｃについての測定結果表示３３ａ〜３３ｃを変圧器Ｘａ〜Ｘｃの像３２ａ〜３２ｃ上に重ねて表示させた状態の表示画面図である。
【発明を実施するための形態】
【００２８】
以下、本発明に係る測定データ処理装置、測定システムおよび測定データ処理用プログラムの実施の形態について、添付図面を参照して説明する。
【００２９】
図１に示す測定システム１００は、「測定システム」の一例であって、測定装置１、携帯情報端末２およびデータサーバ３を備えて構成されている。なお、以下の説明においては、「測定データ処理装置」、「測定システム」および「測定データ処理用プログラム」の発明についての理解を容易とするために、一例として、図２に示す配電盤Ｘの変圧器Ｘａ〜Ｘｃを「測定対象」として温度を測定するものとする。この場合、本例の配電盤Ｘでは、左から順に変圧器Ｘａ〜Ｘｃが並んで配設されている。なお、実際の配電盤Ｘには、変圧器Ｘａ〜Ｘｃ以外の各種の機器やケーブルが配設されているが、測定結果の表示等に関する理解を容易とするために、変圧器Ｘａ〜Ｘｃ以外の要素に関する図示および説明を省略する。
【００３０】
一方、測定装置１は、「測定装置」の一例であって、各種の物理量（電流値、電圧値、抵抗値、電力値および位相などの電気的パラメータや、温度、湿度、輝度（光度）、照度、歪み、雨量および流量等の各種パラメータ）を測定することができるように構成されている。この測定装置１は、「測定対象」の物理量を測定した測定結果データＤ１（「測定結果データ」の一例）の生成や、利用者によって入力操作されたコメントのコメントデータＤ２ａ（「文字列データ」の一例）の生成を実行し、生成した測定結果データＤ１やコメントデータＤ２ａを「測定対象」に関連付けて携帯情報端末２等に送信可能に構成されている。具体的には、図１に示すように、測定装置１は、測定部１１、通信部１２、操作部１３、表示部１４、処理部１５および記憶部１６と、測定部１１に接続された図示しない測定用センサとを備えている。
【００３１】
測定部１１は、処理部１５の制御に従い、測定用センサからのセンサ信号に基づいて測定値を示す測定値データＤ０を生成し、生成した測定値データＤ０を処理部１５に出力する。この場合、変圧器Ｘａ〜Ｘｃの温度を測定する本例においては、上記の測定用センサとして温度センサが測定部１１に接続されている。具体的には、一例として、変圧器Ｘａに取り付けられた温度センサが測定部１１の「ｃｈ１」に接続され、変圧器Ｘｂに取り付けられた温度センサが測定部１１の「ｃｈ３」に接続され、かつ変圧器Ｘｃに取り付けられた温度センサが測定部１１の「ｃｈ２」に接続されている。
【００３２】
通信部１２は、一例として、ブルートゥース等の近距離無線通信規格に準ずる無線通信が可能な通信アダプタで構成されている。この通信部１２は、処理部１５の制御に従い、携帯情報端末２などの各種無線通信機器との間で各測定結果データＤ１やコメントデータＤ２などの各種データを送受信する。操作部１３は、動作条件の入力操作、および「測定対象」や「測定処理」に関するコメントの入力操作が可能な操作スイッチを備え、スイッチ操作に応じた操作信号を処理部１５に出力する。表示部１４は、処理部１５の制御に従い、動作状態の設定画面や測定結果の表示画面等の各種の表示画面（図示せず）を表示する。
【００３３】
処理部１５は、測定装置１を総括的に制御する。具体的には、処理部１５は、測定部１１を制御して測定処理を実行させる。また、処理部１５は、測定部１１から出力される測定値データＤ０を、その測定値データＤ０の測定チャンネル（「ｃｈ１」、「ｃｈ２」・・等）に関連付けて測定結果データＤ１を生成して記憶部１６に記憶させる。さらに、処理部１５は、操作部１３のスイッチ操作によって入力されたコメントの内容を記録してコメントデータＤ２ａを生成して記憶部１６に記憶させる。また、処理部１５は、一例として、携帯情報端末２からの送信要求に応じて記憶部１６から測定結果データＤ１やコメントデータＤ２ａを読み出し、通信部１２から携帯情報端末２に向けて送信させる。記憶部１６は、処理部１５によって生成される測定結果データＤ１やコメントデータＤ２ａなどを記憶する。
【００３４】
また、携帯情報端末２は、「測定データ処理装置」に相当し、一例として、測定データ処理用プログラムＤｐをインストールした既存のスマートフォン、または、測定データ処理用プログラムＤｐをインストールした既存のタブレット端末で構成されている。この場合、広義には、「スマートフォン」は「ＰＤＡ（携帯情報端末）の機能が備わった携帯電話」を意味し、「タブレット端末」は「タッチパネル等のポインティングデバイスと表示装置とを備えた携帯情報端末」を意味するが、本明細書では、この広義の「スマートフォン」および広義の「タブレット端末」のうちの「各種プログラムのインストールによって任意の機能を付加したり、端末の操作環境や表示環境等をカスタマイズしたりすることができるもの」を「スマートフォン」や「タブレット端末」という。
【００３５】
この携帯情報端末２は、図１に示すように、カメラ２１、通信部２２ａ，２２ｂ、操作部２３、表示部２４、処理部２５および記憶部２６を備えている。なお、実際の携帯情報端末２は、上記の各構成要素２１〜２６の他に、「スマートフォン」または「タブレット端末」としての機能を実現するための各種の構成要素を備えているが、本願発明についての理解を容易とするために、これらの構成要素についての図示および説明を省略する。
【００３６】
カメラ２１は、「撮像部」の一例であって、変圧器Ｘａ〜Ｘｃ等の「測定対象」を撮像して撮像データＤ３（「第１の画像データ」としての「撮像データ」の一例）を生成し、生成した撮像データＤ３を処理部２５に出力する。なお、カメラ２１によって生成された撮像データＤ３を「第１の画像データ」として使用する例について説明するが、携帯情報端末２に搭載されたカメラ２１とは相違するカメラ（撮像装置）によって撮像された「画像データ」や、配電盤Ｘの変圧器Ｘａ〜Ｘｃ等を描画した「画像データ」を「第１の画像データ」として使用することもできる。
【００３７】
通信部２２ａは、一例として、前述した測定装置１の通信部１２と同様にしてブルートゥース等の近距離無線通信規格に準ずる無線通信が可能な通信アダプタで構成されている。この通信部２２ａは、後述するように、処理部２５の制御に従い、測定装置１に対する送信要求信号の送信処理や、測定装置１からの測定結果データＤ１やコメントデータＤ２ａの受信処理を実行する。通信部２２ｂは、「通信部」の一例であって、携帯電話回線網などの通信ネットワークＮに接続可能に構成されると共に、処理部２５の制御に従い、通信ネットワークＮを介してデータサーバ３に接続して、画像データＤ４などのデータをデータサーバ３に送信する。
【００３８】
操作部２３は、「操作部」に相当し、一例として、表示部２４の前面側に配設されたタッチパネル２３ａや、携帯情報端末２を「スマートフォン」または「タブレット端末」としての機能させるための各種の操作スイッチを備え、操作に応じた操作信号を処理部２５に出力する。表示部２４は、一例として液晶表示パネルを備え、処理部２５の制御に従い、測定結果表示画面３０（図３〜７）などの各種の表示画面を表示する。
【００３９】
処理部２５は、「処理部」の一例であって、携帯情報端末２を総括的に制御する。具体的には、処理部２５は、測定データ処理用プログラムＤｐの記述に従い、通信部２２ａを制御して、測定結果データＤ１やコメントデータＤ２ａの送信を要求する送信要求信号を測定装置１に向けて送信させる。また、処理部２５は、測定装置１から送信されて通信部２２ａによって受信された測定結果データＤ１やコメントデータＤ２ａを記憶部２６に記憶させる。さらに、処理部２５は、操作部２３（タッチパネル２３ａ）に対する操作によって「測定対象」や「測定処理」についてのコメントが入力されたときに、入力されたコメントの内容を記録してコメントデータＤ２ｂ（「文字列データ」の他の一例）を生成して記憶部２６に記憶させる。
【００４０】
また、処理部２５は、図３〜７に示すように、カメラ２１によって生成された配電盤Ｘの撮像データＤ３に基づき、変圧器Ｘａ〜Ｘｃの像３２ａ〜３２ｃ（「測定対象を示す測定対象像」の一例）を含む画像を表示部２４の測定結果表示画面３０に表示させる。さらに、処理部２５は、図７に示すように、後述するように、測定装置１から取得して記憶部２６に記憶させた測定結果データＤ１に基づき、変圧器Ｘａ〜Ｘｃについての測定結果を示す測定結果表示３３ａ〜３３ｃを変圧器Ｘａ〜Ｘｃの像３２ａ〜３２ｃに重ねて測定結果表示画面３０に表示させる。この際に、処理部２５は、測定結果データＤ１に関連付けられたコメントデータＤ２ａ，Ｄ２ｂが存在するときに、その測定結果データＤ１に基づく測定値と、関連付けられているコメントデータＤ２ａ，Ｄ２ｂの内容（コメント）とを「測定結果表示」として表示させる。
【００４１】
さらに、処理部２５は、利用者によって「報告書」の作成を指示されたときに、測定データ処理用プログラムＤｐに従い、測定結果表示画面３０のハードコピーの画像データＤ４（「測定結果報知用データ」としての「第２の画像データ」の一例）を生成して記憶部２６に記憶させる。また、処理部２５は、通信部２２ｂを制御することにより、通信ネットワークＮを介してデータサーバ３に画像データＤ４を送信して記録させる。記憶部２６は、「記憶部」の一例であって、測定データ処理用プログラムＤｐ、測定結果データＤ１、コメントデータＤ２ａ，Ｄ２ｂ、撮像データＤ３および画像データＤ４などを記憶する。この場合、測定データ処理用プログラムＤｐや、各データＤ１、Ｄ２ａ，Ｄ２ｂ，Ｄ３、Ｄ４などを記憶するための「記憶部」は、携帯情報端末２の内蔵メモリで構成された記憶部２６に限定されず、携帯情報端末２に装着された各種のリムーバブルメモリを使用することもできる。
【００４２】
データサーバ３は、「外部装置」の一例であって、携帯情報端末２から送信された画像データＤ４を記録し、図示しない電子端末（パーソナルコンピュータ等）からの要求に応じて、記録している画像データＤ４を送信する。なお、データサーバ３については、この測定システム１００専用のサーバーを用意して使用することもできるが、各画像データＤ４などを記録可能な既存のデータサーバをデータサーバ３として使用することもできる。また、データサーバ３を介さずに携帯情報端末２から電子端末（パーソナルコンピュータ等）に画像データＤ４を直接伝送する構成を採用することもできる。
【００４３】
次に、測定システム１００による温度の測定処理、測定結果の表示処理、および報告書の作成処理について、添付図面を参照して説明する。
【００４４】
この測定システム１００の使用に際しては、前述したように、変圧器Ｘａ〜Ｘｃに温度センサを取り付け、一例として、変圧器Ｘａに取り付けた温度センサを測定部１１の「ｃｈ１」に接続し、変圧器Ｘｂに取り付けた温度センサを測定部１１の「ｃｈ３」に接続し、かつ変圧器Ｘｃに取り付けた温度センサを測定部１１の「ｃｈ２」に接続する。次いで、操作部１３を操作して測定条件を設定すると共に、必要に応じて、各測定チャンネル毎の測定処理（各測定対象）に関するコメントを入力する。
【００４５】
この際には、一例として、「ｃｈ１（変圧器Ｘａ、変圧器Ｘａについての測定処理）」および「ｃｈ３（変圧器Ｘｂ、変圧器Ｘｂについての測定処理）」については、コメントを入力せず、「ｃｈ２（変圧器Ｘｃ、変圧器Ｘｃについての測定処理）」については、「部品交換済」とのコメントを入力する。これに応じて、処理部１５は、「部品交換済」とのコメントのコメントデータＤ２ａを、変圧器Ｘｃについての測定結果データＤ１に関連付けるデータとして生成して処理部１５に記憶させる。
【００４６】
続いて、操作部１３を操作して測定処理を開始させる。この際に、処理部１５は、設定された測定条件に従って測定部１１を制御することにより、各変圧器Ｘａ〜Ｘｃの温度を測定させる。また、処理部１５は、測定部１１から出力される測定値データＤ０を、その測定値データＤ０の測定チャンネルに関連付けて記録して測定結果データＤ１を生成し、生成した測定結果データＤ１を記憶部１６に記憶させる。この際に、コメントデータＤ２ａが存在する「ｃｈ２」の測定チャンネルについては、そのコメントデータＤ２ａと測定結果データＤ１とを関連付けた状態で記憶部１６に記憶させる。
【００４７】
一方、測定装置１による測定処理と並行して、その測定結果を携帯情報端末２の表示部２４に表示させるには、操作部２３を操作して測定データ処理用プログラムＤｐを起動させる。この際に、処理部２５は、測定データ処理用プログラムＤｐの記述に従い、一例として「測定対象を撮像して下さい」とのメッセージを表示部２４に表示させる（図示せず）。この際には、メッセージを読んだ使用者が、カメラ２１によって配電盤Ｘ（変圧器Ｘａ〜Ｘｃ）を撮像し、これにより、カメラ２１において変圧器Ｘａ〜Ｘｃの像３２ａ〜３２ｃ（図３参照）が含まれた画像の撮像データＤ３が生成されて処理部２５に出力される。また、処理部２５は、出力された撮像データＤ３を記憶部２６に記憶させる共に、図３に示すように、撮像データＤ３に基づく画像（各変圧器Ｘａ〜Ｘｃの像３２ａ〜３２ｃを含む配電盤Ｘの像３１）を表示部２４の測定結果表示画面３０に表示させる。
【００４８】
次いで、処理部２５は、測定データ処理用プログラムＤｐの記述に従い、通信部２２ａを制御して測定結果データＤ１やコメントデータＤ２ａの送信を要求する送信要求信号を測定装置１に向けて送信させる。これに応じて、測定装置１では、処理部１５が記憶部１６から測定結果データＤ１やコメントデータＤ２ａを読み出し、読み出した測定結果データＤ１やコメントデータＤ２ａを通信部１２から携帯情報端末２に向けて送信させる。また、携帯情報端末２では、処理部２５が、測定装置１から送信されて通信部２２ａによって受信された測定結果データＤ１やコメントデータＤ２ａを記憶部２６に記憶させる。
【００４９】
続いて、操作部２３（タッチパネル２３ａ）を操作することにより、測定結果表示画面３０に表示させるべき測定結果の測定結果データＤ１（測定チャンネル）を選択する。具体的には、予め規定された操作が行われたときに、処理部２５は、測定データ処理用プログラムＤｐの記述に従い、図４に示すように、測定結果候補４１ａ〜４１ｃを一覧表示する選択肢表示画面４０を測定結果表示画面３０に重ねて表示させる。この際に、「ｃｈ１」との測定チャンネル（すなわち、「ｃｈ１」に接続された温度センサが取り付けられている変圧器Ｘａ）についての測定結果の表示を希望するときには、一例として、同図における位置Ｐ１をタップ操作することにより、「ｃｈ１（変圧器Ｘａ）」についての測定結果候補４１ａを選択する。
【００５０】
この際に、処理部２５は、上記の選択肢表示画面４０を非表示にすると共に、選択された「ｃｈ１（変圧器Ｘａ）」に関連付けられている測定結果データＤ１を記憶部２６から読み出し、図５に示すように、読み出した測定結果データＤ１に基づく測定結果を示す測定結果表示３３ａを測定結果表示画面３０の例えば左上角部に表示させる。次いで、操作部２３（タッチパネル２３ａ）を操作することにより、測定結果表示画面３０に表示されている像３１における測定結果表示３３ａの表示位置を指定する。
【００５１】
具体的には、一例として、測定結果表示３３ａが最初に表示された位置Ｐ２（「第１の位置」の一例）から、「ｃｈ１」との測定チャンネルに接続された温度センサが取り付けられている変圧器Ｘａの像３２ａが表示されている位置Ｐ３（「第２の位置」の一例）まで矢印Ａで示すようにドラッグ操作を行う。これに応じて、処理部２５は、測定データ処理用プログラムＤｐの記述に従い、図６に示すように、位置Ｐ３を「指定された位置」として測定結果表示３３ａを位置Ｐ２から位置Ｐ３に移動させて変圧器Ｘａの像３２ａに重ねて表示させる。これにより、「ｃｈ１（変圧器Ｘａ）」についての測定結果の表示が完了する。なお、対応するコメントデータＤ２ａ，Ｄ２ｂが存在しない「ｃｈ１（変圧器Ｘａ）」についての測定結果表示３３ａは、同図に示すように、測定チャンネルを示す「ｃｈ１」との文字列、および「ｃｈ１」についての測定結果データＤ１に基づく測定結果を示す「３２．６℃」との文字列だけが表示されている。
【００５２】
この場合、上記の例では、測定結果表示３３ａが最初に表示された位置Ｐ２から変圧器Ｘａの像３２ａに重なる位置Ｐ３まで直接移動させているが、例えば、変圧器Ｘａの像の位置を誤り、図５に示すように、上記の位置Ｐ２を「第１の位置」とし、かつ変圧器Ｘｂの像３２ｂに重なる位置Ｐ４を「第２の位置」として矢印Ｂ１で示すように、測定結果表示３３ａを移動させてしまったとしても、この位置Ｐ４を「第１の位置」とし、かつ上記の位置Ｐ３を「第２の位置」として矢印Ｂ２で示すようにドラッグ操作を行うことにより、図６に示すように、測定結果表示３３ａを変圧器Ｘａの像３２ａに重ねて表示させることが可能となっている。
【００５３】
また、測定結果表示画面３０に表示させるべき測定結果の測定結果データＤ１の選択（選択肢表示画面４０における測定結果候補４１ａ〜４１ｃのうちのいずれかの選択）を行った後に、その測定結果データＤ１に基づく「測定結果表示（測定結果表示３３ａ〜３３ｃ）」の表示位置を指定する操作方法について説明したが、例えば、図３に示すように配電盤Ｘの像３１を測定結果表示画面３０に表示させた状態において、変圧器Ｘａの像３２ａの上の位置Ｐ３をタップ操作することで測定結果表示の表示位置を指定し、その後に、図４に示すように選択肢表示画面４０を表示させて測定結果候補４１ａを選択する（表示させるべき測定結果の測定結果データＤ１を選択する）ことにより、図６に示すように、変圧器Ｘａについての測定結果データＤ１に基づく測定結果表示３３ａを変圧器Ｘａの像３２ａに重ねて測定結果表示画面３０に表示させることもできる。
【００５４】
この後、「ｃｈ２（変圧器Ｘｃ）」や、「ｃｈ３（変圧器Ｘｂ）」の測定結果についても、上記の「ｃｈ１（変圧器Ｘａ）」についての測定結果表示３３ａの表示と同様の操作を行うことにより、図７に示すように、「ｃｈ２（変圧器Ｘｃ）」についての測定結果データＤ１に基づく測定結果を示す測定結果表示３３ｂを変圧器Ｘｃの像３２ｃに重ねて表示させ、かつ「ｃｈ３（変圧器Ｘｂ）」についての測定結果データＤ１に基づく測定結果を示す測定結果表示３３ｃを変圧器Ｘｂの像３２ｂに重ねて表示させる。
【００５５】
この場合、同図に示すように、測定装置１においてコメントデータＤ２ａが生成されている「ｃｈ２（変圧器Ｘｃ）」については、測定チャンネルを示す「ｃｈ２」との文字列、「ｃｈ２」についての測定結果データＤ１に基づく測定結果を示す「３４．２℃」との文字列、およびコメントデータＤ２ａに基づく「部品交換済」との文字列が測定結果表示３３ｂとして変圧器Ｘｃの像３２ｃに重なって表示される。
【００５６】
また、対応するコメントデータＤ２ａが生成されていない「ｃｈ３（変圧器Ｘｂ）」について、「ｃｈ２（変圧器Ｘｃ）」と同様に何らかのコメントを測定結果と共に表示させるときには、操作部２３（タッチパネル２３ａ）を操作することにより、一例として、「異常発熱あり」とのコメントを入力する。この際に、処理部２５は、入力された「異常発熱あり」とのコメントのコメントデータＤ２ｂを生成し、、変圧器Ｘｂについての測定結果データＤ１に関連付けて記憶部２６に記憶させる。また、処理部２５は、測定チャンネルを示す「ｃｈ３」との文字列、「ｃｈ３」についての測定結果データＤ１に基づく測定結果を示す「６８．５℃」との文字列、およびコメントデータＤ２ｂに基づく「異常発熱あり」との文字列を測定結果表示３３ｃとして変圧器Ｘｂの像３２ｂに重ねて表示させる。
【００５７】
この場合、測定データ処理用プログラムＤｐがインストールされている本例の携帯情報端末２（測定システム１００）では、変圧器Ｘａ〜Ｘｃに対して温度センサを取り付けて所望の測定チャンネルに接続した者が、その現場において携帯情報端末２の操作部２３（タッチパネル２３ａ）を操作して配電盤Ｘの像３１の上における任意の位置（変圧器Ｘａ〜Ｘｃの像３２ａ〜３２ｃの位置）に測定結果表示３３ａ〜３３ｃを表示させるよう指示することが可能となっている。したがって、この携帯情報端末２（測定システム１００）では、各測定結果表示３３ａ〜３３ｃが変圧器Ｘａ〜Ｘｃのいずれの測定結果を示す「測定結果表示」であるかを誤ることなく、測定結果表示３３ａ〜３３ｃの表示位置を正確かつ容易に指定することが可能となっている。これにより、変圧器Ｘａ〜Ｘｃについての測定結果の表示処理が完了する。なお、上記の例では、測定装置１による測定処理と並行して携帯情報端末２による測定結果の表示処理を実行しているが、測定装置１による測定処理を完了した後に、携帯情報端末２による測定結果の表示処理を実行することもできる。
【００５８】
一方、処理部２５は、変圧器Ｘａ〜Ｘｃについての測定結果表示３３ａ〜３３ｃの表示が完了した時点において、測定データ処理用プログラムＤｐの記述に従い、その時点における測定結果表示画面３０（「画像上の指定された位置に測定結果を重ねて表示させた表示画面」の一例）を再現可能な画像データＤ４の生成処理（「データ生成処理」の一例）を開始する。具体的には、本例の携帯情報端末２（測定データ処理用プログラムＤｐ）では、図７に示すように、各変圧器Ｘａ〜Ｘｃについての測定結果表示３３ａ〜３３ｃの表示を完了したときに、処理部２５が、その時点における測定結果表示画面３０のハードコピーの画像データＤ４を生成して記憶部２６に記憶させる。
【００５９】
次いで、処理部２５は、測定データ処理用プログラムＤｐの記述に従い、通信部２２ｂを制御することにより、通信ネットワークＮを介してデータサーバ３に画像データＤ４を送信する（「データ送信処理」の一例）。これにより、「測定対象」の一例である変圧器Ｘａ〜Ｘｃの像３２ａ〜３２ｃに重ねて変圧器Ｘａ〜Ｘｃについての「測定結果」や「コメント」を示す測定結果表示３３ａ〜３３ｃが表示される表示画面を再現し得る画像データＤ４がデータサーバ３に記録される。
【００６０】
したがって、測定処理等を行った現場から離れた場所に設置されている図示しないパーソナルコンピュータ等の電子端末を操作してデータサーバ３にアクセスし、記録されている画像データＤ４を送信させる（ダウンロードする）ことにより、図７に示す測定結果表示画面３０と同様の表示画面を電子端末等の表示部に表示させることが可能となる。この後、電子端末において取得した画像データＤ４を印刷したり、画像データＤ４の画像を所定の書式の書面に貼り付けて印刷したりすることで、報告書を作成する。以上により、測定処理、測定結果の表示処理、および報告書の作成処理が完了し、作成した報告書を配電盤Ｘの所有者等に提出することが可能となる。
【００６１】
このように、この携帯情報端末２では、処理部２５が、変圧器Ｘａ〜Ｘｃの像３２ａ〜３２ｃが含まれた画像の撮像データＤ３に基づく画像を表示部２４に表示させると共に、変圧器Ｘａ〜Ｘｃについての測定結果を示す測定結果データＤ１に基づく測定結果表示３３ａ〜３３ｃを撮像データＤ３に基づく画像における指定された位置に重ねて表示部２４に表示させる。また、この測定システム１００では、携帯情報端末２と、変圧器Ｘａ〜Ｘｃについての測定処理を実行して測定結果データＤ１を生成する測定装置１とを備えている。また、この測定データ処理用プログラムでは、変圧器Ｘａ〜Ｘｃの像３２ａ〜３２ｃが含まれた画像の撮像データＤ３に基づく画像を表示部２４に表示させると共に、変圧器Ｘａ〜Ｘｃについての測定結果を示す測定結果データＤ１に基づく測定結果表示３３ａ〜３３ｃを画像における指定された位置に重ねて表示部２４に表示させる処理を携帯情報端末２の処理部２５に実行させる手順が記録されている。
【００６２】
したがって、この携帯情報端末２、測定システム１００、および測定データ処理用プログラムによれば、紙片等に測定結果を記入する作業、および紙片等に記入されている測定結果を読み取ってパーソナルコンピュータ等に入力する作業が不要となるだけでなく、測定装置１が設置されている場所に携帯情報端末２を携行し、その現場において携帯情報端末２の操作部１３を操作して各変圧器Ｘａ〜Ｘｃの像３２ａ〜３２ｃの位置に各変圧器Ｘａ〜Ｘｃの測定結果表示３３ａ〜３３ｃを表示させるように指示することができるため、いずれの変圧器Ｘａ〜Ｘｃの測定結果であるかを確実かつ容易に認識可能な測定結果表示画面３０を表示させることができる。
【００６３】
また、この携帯情報端末２によれば、処理部２５が、コメントデータＤ２ａ，Ｄ２ｂに基づくコメントを測定結果表示３３ａ〜３３ｃと共に表示させることにより、各変圧器Ｘａ〜Ｘｃに関して報知すべき事項を確実かつ容易に認識させることができる。
【００６４】
さらに、この携帯情報端末２によれば、処理部２５が、操作部２３のタッチパネル２３ａにおける測定結果表示３３ａ〜３３ｃ上の「第１の位置」から、タッチパネル２３ａにおける測定結果表示３３ａ〜３３ｃの位置以外の位置である「第２の位置」へのドラッグ操作が行われたときに、「第２の位置」を「指定された位置」として「第１の位置」に表示させていた測定結果表示３３ａ〜３３ｃを「第２の位置」に移動させて表示させることにより、利用者が意図していない位置に測定結果表示３３ａ〜３３ｃが表示された状態となっても、測定結果表示３３ａ〜３３ｃが表示されている位置（第１の位置）から所望の位置（第２の位置）へのドラッグ操作を行うことで、測定結果表示３３ａ〜３３ｃを所望の位置に表示させることができる。これにより、この種の装置の操作に不慣れな者であっても、所望の位置に測定結果表示３３ａ〜３３ｃを正確に表示させることができる。
【００６５】
また、この携帯情報端末２によれば、カメラ２１によって撮像された変圧器Ｘａ〜Ｘｃの像３２ａ〜３２ｃを含む画像における指定された位置に測定結果表示３３ａ〜３３ｃを重ねて表示可能に構成したことにより、「第１の画像データ」を予め用意しておく必要がなくなるだけでなく、例えば、「測定対象」を描画した「第１の画像データ」の画像に「測定結果表示」を重ねて表示する構成とは異なり、実際の「測定対象（上記の例では、変圧器Ｘａ〜Ｘｃ）」を撮像した撮像データＤ３の画像に測定結果表示３３ａ〜３３ｃを重ねて表示させることで、「測定対象」の周囲の状態や、「測定対象」に対する測定用センサ等の設置状況についても測定結果表示３３ａ〜３３ｃと共に表示させることができるため、いずれの「測定対象」の測定結果であるかを一層確実かつ一層容易に認識させることができる。
【００６６】
また、この携帯情報端末２によれば、処理部２５が、撮像データＤ３に基づく画像上の指定された位置に測定結果表示３３ａ〜３３ｃを重ねて表示させた測定結果表示画面３０を再現可能な画像データＤ４を生成するデータ生成処理を実行することにより、測定処理の現場から離れた場所において携帯情報端末２の表示部２４に上記の測定結果表示画面３０を表示させたり、携帯情報端末２とは相違する各種の電子端末に上記の測定結果表示画面３０を表示させたりすることができるため、測定処理の現場から離れた場所や、携帯情報端末２が存在しない場所においても、変圧器Ｘａ〜Ｘｃについての測定結果を確実かつ容易に認識させることができる。また、画像データＤ４を印刷して報告書として提出することも可能となるため、報告書の作成作業に要する負担を十分に軽減することができる。
【００６７】
さらに、この携帯情報端末２によれば、処理部２５が、データ生成処理において、表示画面の第２の画像データＤ４を「測定結果報知用データ」として生成することにより、比較的小さなデータサイズの画像データＤ４によって、いずれの変圧器Ｘａ〜Ｘｃの測定結果であるかを確実かつ容易に認識可能に測定結果表示画面３０を表示させたり、画像データＤ４を印刷した報告書を作成したりすることができる。
【００６８】
また、この携帯情報端末２によれば、処理部２５が、通信部２２ｂを制御して「測定結果報知用データ」としての画像データＤ４をデータサーバ３に向けて送信するデータ送信処理を実行することにより、物理的に大きく離れた場所に居る者に対して上記の測定結果表示画面３０と同様の表示画面を表示し得る画像データＤ４を短時間で提供することができる。
【００６９】
なお、「測定データ処理装置」および「測定システム」の構成や、「測定データ処理用プログラム」の処理内容については、上記の例に限定されない。例えば、測定装置１において生成された測定結果データＤ１やコメントデータＤ２ａを無線通信等によって携帯情報端末２に向けて送信させて使用する例について説明したが、携帯情報端末２において使用する測定結果データＤ１は、測定装置１において生成された測定結果データＤ１に限定されない。
【００７０】
具体的には、測定装置１の表示部１４に各変圧器Ｘａ〜Ｘｃについての測定結果を表示させ、その表示を見ながら携帯情報端末２の操作部２３（タッチパネル２３ａ等）を操作することで携帯情報端末２に「測定結果」を入力し、処理部２５が、入力された測定値に基づいて測定結果データＤ１を生成して記憶部２６に記憶させることもできる。このような使用方法では、「測定装置」や「測定データ処理装置」に通信部が存在しなくても、各変圧器Ｘａ〜Ｘｃについての測定結果を測定結果表示画面３０上に表示させることができるため、例えば、病院や空港のように無線通信を禁止されているエリアにおいても、いずれの測定対象についての測定結果であるかを確実かつ容易に認識可能に測定結果表示画面３０を表示させることができる。
【００７１】
また、図７に示すような測定結果表示画面３０を表示部２４に表示させた後に、その測定結果表示画面３０のハードコピーの画像データＤ４を「測定結果報知用データ」として生成する例について説明したが、「測定データ処理装置」および「測定システム」の構成や、「測定データ処理用プログラム」の処理内容については、上記の例に限定されず、図７に示すような測定結果表示画面３０の表示を完了した時点において、画像データＤ４を生成することなく、一連の処理を完了させる構成・方法を採用することもできる。
【００７２】
また、「測定結果」を示す文字列を「測定結果表示」として表示させる例について説明したが、このような構成・方法に加えて（または、このような構成・方法に代えて）、「測定結果」をグラフや波形等で表す「測定結果表示」を表示させる構成・方法を採用することもできる（図示せず）。さらに、測定チャンネルを示す文字列や、コメントを示す文字列を「測定結果」と共に表示させる例について説明したが、測定チャンネルやコメントを示す文字列の表示は必須ではなく、これらを表示させない構成・方法を採用することもできる。
【符号の説明】
【００７３】
１００  測定システム
１  測定装置
２  携帯情報端末
３  データサーバ
１１  測定部
１２，２２ａ，２２ｂ  通信部
１３，２３  操作部
１４，２４  表示部
１５，２５  処理部
１６，２６  記憶部
２１  カメラ
２３ａ  タッチパネル
３０  測定結果表示画面
３１，３２ａ〜３２ｃ  像
３３ａ〜３３ｃ  測定結果表示
４０  選択肢表示画面
４１ａ〜４１ｃ  測定結果候補
Ｄ０  測定値データ
Ｄ１  測定結果データ
Ｄ２ａ，Ｄ２ｂ  コメントデータ
Ｄ３  撮像データ
Ｄ４  画像データ
Ｄｐ  測定データ処理用プログラム
Ｐ１，Ｐ２・・  位置
Ｎ  通信ネットワーク
Ｘ  配電盤
Ｘａ〜Ｘｃ  変圧器
【図１】
2015040775.tif 000003
【図２】
2015040775.tif 000004
【図３】
2015040775.tif 000005
【図４】
2015040775.tif 000006
【図５】
2015040775.tif 000007
【図６】
2015040775.tif 000008
【図７】
2015040775.tif 000009